(57)【要約】【課題】  ライトの照射範囲変更機構は、発光部とその前面に配置されたレンズ間の距離を変化させること行っているためレンズの移動代分、ライト部の筐体を大きくする必要があった。【解決手段】  複数の発光部を設け各々の照射方向を変化させることにより照射範囲を変える構造とすることで、照射範囲の変更によるライト部筐体寸法の、増加を防止する。【選択図】  図２
2006330052.tif 000002
【特許請求の範囲】
【請求項１】
カメラ用照明装置において光を照射する部分を複数有し、各光の照射部は個別に照射軸を変化させる構造を持ち、各光の照射部の照射軸を変化させることにより照射範囲を変更させることを特徴とする照明装置。
【請求項２】
請求項１の照明装置において各光の照射部は発光部と集光部である反射傘で構成し光の照射軸と並行する軸を中心軸として等距離に配置する。各発光部を１対とし中心軸を中心として回転させ反射傘との位置を変化させる機構を有することにより照射方向を変えることを特徴とする照明装置。
【請求項３】
請求項１の照明装置において各光の照射部は発光部と集光部である反射傘で構成し光の照射軸と並行する軸を中心軸として等距離に配置する。反射傘部を１対とし中心軸を中心として回転させ発光部との位置を変化させる機構を有することにより照射方向を変えることを特徴とする照明装置。
【請求項４】
請求項１の照明装置において各光の照射部は発光部と集光部であるレンズ又はライトガイドで構成し光の照射軸と並行する軸を中心軸として等距離に配置する。各発光部を１対とし中心軸を中心として回転させ集光部であるレンズ又はライトガイドとの位置を変化させる機構を有することにより照射方向を変えることを特徴とする照明装置。
【請求項５】
請求項１の照明装置において各光の照射部は発光部と集光部であるレンズ又はライトガイドで構成し光の照射軸と並行する軸を中心軸として等距離に配置する。集光部であるレンズ又はライトガイドを１対とし中心軸を中心として回転させ発光部との位置を変化させる機構を有することにより照射方向を変えることを特徴とする照明装置。
【請求項６】
請求項４及び５の照明装置において発光部をＬＥＤとする照明装置。
【発明の詳細な説明】
【技術分野】
【０００１】
本発明は、カメラの照明装置において光線の照射範囲を変換させる機構に関してのものである。
【背景技術】
【０００２】
従来技術をその機構図を基に説明する。図６は従来技術の特徴をもっともよく表す図面で、同図において２はライト、２−１はライトカバー、２−１３は発光部、２−１４は反射傘、２−１５はフレネルレンズである。
【０００３】
図７は従来技術の照射範囲による機構の変化を示す図で狭い範囲と広い範囲における内部構造の変化を示すものである。
【０００４】
ライトカバー２−１内に発光部２−１３、反射傘２−１４、フレネルレンズ２−１５が組み込まれ、発光部２−１３と反射傘２−１４は照射光の軸方向に対し移動可能状態で保持されている。
【０００５】
狭い範囲を照射する場合は、発光部２−１３と反射傘２−１４をフレネルレンズ２−１５から離れた位置に移動させ光を集光させる。また、広い範囲を照射する場合は、発光部２−１３と反射傘２−１４をフレネルレンズ２−１５に近づけた位置に移動し集光を少なくさせ光が広がるようにすることで照射範囲の変更を行なっていた。
（例えば、特許文献１参照）
【特許文献１】特開平５−１９７０００号公報
【発明の開示】
【発明が解決しようとする課題】
【０００６】
上記従来例では、発光部とその前面に配置したレンズ部の距離を変化させることで照射範囲を変化させていたが、レンズ部と発光部を離した状態でも保持できる筐体を必要とするのと、レンズ部と発光部が離れることにより広がった光束を集めるために大径のレンズが必要となり筐体が大きくなってしまっていた。
【０００７】
本出願の発明の目的は、ライトの筐体寸法を大きくさせることなく照射範囲を変化させることを可能とさせるものである。
【課題を解決するための手段】
【０００８】
上記目的を達成するために、本出願に係わる第１の発明は、複数個配置した照射部の照射方向を変化させることにより照射範囲を変化させることを特徴とするものである。
【０００９】
第２の発明は、発光部と集光部である反射傘で構成した複数個の照射部を照射方向と平行する軸を中心に配置し、発光部を１群として軸を中心に回転させることで各反射傘の中心と発光部の中心をずらし各照射部の照射方向を変化させることを特徴とするものである。
【００１０】
第３の発明は、発光部と集光部である反射傘で構成した複数個の照射部を照射方向と平行する軸を中心に配置し、集光部である反射傘を１群として軸を中心に回転させることで各発光部の中心と反射傘の中心をずらし各照射部の照射方向を変化させることを特徴とするものである。
【００１１】
第４の発明は、第２の発明の集光部をレンズ又はライトガイドとしたことを特徴とする物である。
【００１２】
第５の発明は、第３の発明の集光部をレンズ又はライトガイドとしたことを特徴とするものである。
【００１３】
第６の発明は、第４及び第５の発明のライト部を白色ＬＥＤとしたことを特徴とするものである。
【発明の効果】
【００１４】
以上説明したように、本出願に係る第１の発明によれば、複数個配置した照射部の照射方向を変化させることのより照射範囲を変えることで、照射範囲変更のための発光部の移動代の確保などの照射範囲変更にともなうライト筐体の寸法増加を無くすことが可能となる。
【００１５】
本出願に係る第２の発明によれば、光の照射方向と並行する軸中心に配置された複数個の照射部の発光部を１群として回転させることにより各集光部である反射傘中心と発光部中心がずれ各照射部の照射方向が変わりライトとしての照射範囲が変化する。照射範囲の変更するための機構は発光部の回転だけであり、ライトの筐体寸法を増加させること無く照射範囲の変更が可能となる。
【００１６】
本出願に係る第３の発明によれば、光の照射方向と並行する軸中心に配置された複数個の照射部の集光部である反射傘を１群として回転させることにより各発光部中心と集光部である反射傘中心がずれ各照射部の照射方向が変わりライトとしての照射範囲が変化する。照射範囲の変更するための機構は発光部の回転だけでありライトの筐体寸法を増加させること無く照射範囲の変更が可能となる。
【００１７】
本出願に係る第４の発明によれば、第２の発明の集光部としてレンズ又はライトガイドを使うもので、ライトの筐体寸法を増加させること無く照射範囲の変更が可能となる。
【００１８】
本出願に係る第５の発明によれば、第３の発明の集光部としてレンズ又はライトガイドを使うもので、ライトの筐体寸法を増加させること無く照射範囲の変更が可能となる。
【００１９】
本出願に係る第６の発明によれば、第４及び第５の発明の発光部として白色ＬＥＤを使うもので、ライト形状を小型化させると共にライトの筐体寸法を増加させること無く照射範囲の変更が可能となる。
【発明を実施するための最良の形態】
【００２０】
（第一の実施例）
図１は本発明の構成を示す図で、同図において１はカメラ、１−１はカメラ１のアクシュー、２はライト、２−２はライト２をアクシュー１−１に取り付けるためのシューベースである。
【００２１】
図２は本発明の特徴を最もよく表す断面図で、図１のＤ−Ｄ、Ｅ−Ｅ方向での断面図である。同図において１−２はカメラ１より電源を供給する接点＋、１−３は接点−、２−１はライト２の各部材を保持しているライトカバー、２−３はライト２の電気回路を実装した基板、２−４は１−２接点＋と接触し電気の供給を受ける＋端子、２−５は１−３接点−と接触し電気の供給を受ける−端子、２−６は＋端子２−４に供給された電気を基板に送る＋電線、２−７は−端子２−５に供給された電気を基板に送る−電線、２−８は基板２−３を保持する基板ガイド、２−９Ａは基板２−３上に実装された発光素子ＬＥＤ−Ａ、２−９Ｂは基板２−３上に実装された発光素子ＬＥＤ−Ｂ、２−９Ｃは基板２−３上に実装された発光素子ＬＥＤ−Ｃ、２−９Ｄは基板２−３上に実装された発光素子ＬＥＤ−Ｄ、２−１０はＬＥＤ−Ａ〜Ｄ２−９Ａ〜Ｄの光を集光する集光板、２−１１Ａは集光板２−１０上にあり集光機能を有するレンズ部−Ａ、２−１１Ｂは集光板２−１０上にあり集光機能を有するレンズ部−Ｂ、２−１１Ｃは集光板２−１０上にあり集光機能を有するレンズ部−Ｃ、２−１１Ｄは集光板２−１０上にあり集光機能を有するレンズ部−Ｄ、２−１２は集光板２−１０を保持する集光板ガイドである。
【００２２】
図３は図１におけるＦ方向から見た図でＬＥＤ−Ａ２−９Ａ、ＬＥＤ−Ｂ２−９Ｂ、ＬＥＤ−Ｃ２−９Ｃ、ＬＥＤ−Ｄ２−９Ｄ、とレンズ部−Ａ２−１１Ａ、レンズ部−Ｂ２−１１Ｂ、レンズ部−Ｃ２−１１Ｃ、レンズ部−Ｄ２−１１Ｄ、の位置関係を示す図である。
【００２３】
図４はＬＥＤ−Ａ２−９Ａ、ＬＥＤ−Ｂ２−９Ｂ、ＬＥＤ−Ｃ２−９Ｃ、ＬＥＤ−Ｄ２−９Ｄの光軸の変更を表す図である。
【００２４】
図５はＬＥＤ−Ａ２−９Ａ、ＬＥＤ−Ｂ２−９Ｂ、ＬＥＤ−Ｃ２−９Ｃ、ＬＥＤ−Ｄ２−９Ｄの光軸変化による照射範囲の変化を表す図である。
【００２５】
ライト２はシューベース２−２を介してカメラ１のアクシュー１−１に取り付けられ、接点＋１−２、接点−１−３に接している＋端子２−４、−端子２−５から＋電線２−６、−電線２−７を介して基板ガイド２−８にてライトカバー２−１に保持されている基板２−３に電気が供給される。基板２−３に供給された電気は基板２−３上に実装されたＬＥＤ−Ａ２−９Ａ、ＬＥＤ−Ｂ２−９Ｂ、ＬＥＤ−Ｃ２−９Ｃ、ＬＥＤ−Ｄ２−９Ｄを発光させ、集光板２−１０上のレンズ−Ａ２−１１Ａ、レンズ−Ｂ２−１１Ｂ、レンズ−Ｃ２−１１Ｃ、レンズ−Ｄ２−１１Ｄを介して被写体に対し光を照射する。集光板２−１０は集光板ガイド２−１２にて回転可能状態で保持されており、ＬＥＤ−Ａ２−９Ａ、ＬＥＤ−Ｂ２−９Ｂ、ＬＥＤ−Ｃ２−９Ｃ、ＬＥＤ−Ｄ２−９Ｄとレンズ−Ａ２−１１Ａ、レンズ−Ｂ２−１１Ｂ、レンズ−Ｃ２−１１Ｃ、レンズ−Ｄ２−１１Ｄの位置を変化させることができる。
【００２６】
ＬＥＤ−Ａ２−９Ａ、ＬＥＤ−Ｂ２−９Ｂ、ＬＥＤ−Ｃ２−９Ｃ、ＬＥＤ−Ｄ２−９Ｄと集光板２−１０上に配置されたレンズ部−Ａ２−１１Ａ、レンズ部−Ｂ２−１１Ｂ、レンズ部−Ｃ２−１１Ｃ、レンズ部−Ｄ２−１１Ｄの位置関係は図３Ｆ視図に示すとおりである。ライト２の照射する光線の範囲が狭い時には照射範囲小に示すようにＬＥＤ−Ａ２−９Ａ、ＬＥＤ−Ｂ２−９Ｂ、ＬＥＤ−Ｃ２−９Ｃ、ＬＥＤ−Ｄ２−９Ｄとレンズ部−Ａ２−１１Ａ、レンズ部−Ｂ２−１１Ｂ、レンズ部−Ｃ２−１１Ｃ、レンズ部−Ｄ２−１１Ｄの中心を一致させる。この時のＬＥＤ−Ａ〜Ｄ２−９Ａ〜Ｄの各ＬＥＤとレンズ部−Ａ〜Ｄ２−１１Ａ〜Ｄの各レンズ部の関係は、図４光軸変更図の照射範囲小に示す状態でありＬＥＤ光軸ｍとレンズ部光軸ｌが一致することで光軸の傾きは生じない。ライト２の照射範囲を広くするには、図３Ｆ視図照射範囲大に示すように集光板２−１０を回転軸ｎ中心にα度回転させ各々のＬＥＤとレンズ部の変移量をｏとすることで図４光軸変更図の照射範囲大に示す位置関係となる。ＬＥＤの中心ｍとレンズ部中心ｌが変移量ｏずれることにより照射方向はβ傾くこととなる。光軸の傾きによる照射範囲の変化は図５照射範囲に示すようになり、各ＬＥＤ光の光軸の傾きが無い時には照射範囲小時に示すようにＬＥＤ−Ａ〜Ｄ２−９Ａ〜Ｄの照射中心位置がほぼ同一となり狭い範囲を照射する。
【００２７】
光軸の傾きがβとなる時にはＬＥＤ−Ａ２−９Ａ、ＬＥＤ−Ｂ２−９Ｂ、ＬＥＤ−Ｃ２−９Ｃ、ＬＥＤ−Ｄ２−９Ｄの照射光はｐ、ｑ、ｒ、ｓ方向に各々の照射中心が移動することにより広い範囲を照射することが可能となる。
【００２８】
光軸の傾きβは回転角αに対し比例して変化するため集光板２−１０の回転角αを調整により希望する照射範囲を作り出すことが可能となる。
【図面の簡単な説明】
【００２９】
【図１】実施例１の構成図。
【図２】実施例１の断面図。
【図３】撮影方向及びライト光路軸図。
【図４】上下方向光路変向図。
【図５】左右方向光路変向図。
【図６】従来例構造図。
【図７】従来例照射機構図。
【符号の説明】
【００３０】
１  カメラ
１−１  アクシュー
１−２  接点＋
１−３  接点−
２  ライト
２−１  ライトカバー
２−２  シューベース
２−３  基板
２−４  ＋端子
２−５  −端子
２−６  ＋電線
２−７  −電線
２−８  基板ガイド
２−９Ａ  ＬＥＤ−Ａ
２−９Ｂ  ＬＥＤ−Ｂ
２−９Ｃ  ＬＥＤ−Ｃ
２−９Ｄ  ＬＥＤ−Ｄ
２−１０  集光板
２−１１Ａ  レンズ部−Ａ
２−１１Ｂ  レンズ部−Ｂ
２−１１Ｃ  レンズ部−Ｃ
２−１１Ｄ  レンズ部−Ｄ
２−１２  集光板ガイド
α  回転角
ｌ  ＬＥＤ−Ａ〜Ｄの中心
ｍ  レンＤズ部−Ａ〜Ｄの中心
ｏ  変移量
ｐ  ＬＥＤ−Ａの照射光の変移方向
ｑ  ＬＥＤ−Ｂの照射光の変移方向
ｒ  ＬＥＤ−Ｃの照射光の変移方向
ｓ  ＬＥＤ−Ｄの照射光の変移方向
【図１】
2006330052.tif 000003
【図２】
2006330052.tif 000004
【図３】
2006330052.tif 000005
【図４】
2006330052.tif 000006
【図５】
2006330052.tif 000007
【図６】
2006330052.tif 000008
【図７】
2006330052.tif 000009